【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
閲覧者が選択や指示をするめに必要な対話的な入力を受け付ける入力手段と、前記入力手段を通じた入力を直後の再生動作を規定する入力イベントとして受け付ける機能を備えた再生手段とを備えた端末装置に、サーバ装置からネットワークを通して送信され、前記再生手段により再生表示される動画コンテンツファイルであって、
この動画コンテンツファイルは、再生時に閲覧者が前記入力手段により選択指示する対象となる対話インターフェースオブジェクトを含むことができるものであって、
さらに、
１）最初と最初以外の区別がある複数の動画を含んで構成され、
２）最初以外の各動画について、各動画が最初として区別して作成された他の動画コンテンツファイルを要求するメッセージを端末装置からネットワーク上に発信させる対話インターフェースオブジェクトを含んでいる、
ことを特徴とする動画コンテンツファイル。
【請求項２】
閲覧者が選択や指示をするめに必要な対話的な入力を受け付ける入力手段と、前記入力手段を通じた入力を直後の再生動作を規定する入力イベントとして受け付ける機能を備えた再生手段とを備えた端末装置に、サーバ装置からネットワークを通して送信され、前記再生手段により再生表示される動画コンテンツファイルであって、
この動画コンテンツファイルは、再生時に閲覧者が前記入力手段により選択指示する対象となる対話インターフェースオブジェクトを含むことができるものであって、
さらに、
１）最初と最初以外の区別がある複数の動画を含んで構成され、
２）最初以外の各動画について、各動画が最初として区別して作成された他の動画コンテンツファイルへのハイパーリンクが埋め込まれたファイルを要求するメッセージを端末装置からネットワーク上に発信させる対話インターフェースオブジェクトを含んでいる、
ことを特徴とする動画コンテンツファイル。
【請求項３】
請求項１または請求項２に記載の動画コンテンツファイルを、ネットワークを通じて、これを受信し再生する携帯端末に配信するコンテンツサーバー装置であって、最初に再生される動画の動画特定情報を含むファイル識別情報を持つ動画コンテンツファイルを記憶する記憶手段と、
ファイル識別情報を含むコンテンツ送信要求を受け付けて、該当する動画コンテンツファイルを返信するコンテンツ送信手段と、
を備えることを特徴とするサーバ装置。
【請求項４】
前記コンテンツ送信要求は、動画特定情報を含むリダイレクトページのＵＲＬであって、
リダイレクトページＵＲＬを受け付けて、リダイレクトページＵＲＬの動画特定情報を読み取って、前記読み取られた動画特定情報を含むファイル識別情報の動画コンテンツファイルのＵＲＬを設定したリダイレクトページを作成して送信するリダイレクトページ送信手段、
を備えることを特徴とする請求項３に記載のサーバ装置。
【請求項５】
前記動画コンテンツファイルは、Flash Liteファイルである、
ことを特徴とする請求項３または請求項４に記載のサーバ装置。
【請求項６】
動画特定情報を含む動画から構成される動画コンテンツファイルを用いる携帯端末コンテンツ提供方法であって、
コンテンツファイル送信要求を受け付けて動画コンテンツファイルを送信するファイル送信ステップと、
前記送信された動画コンテンツファイルを受信して、対話インターフェースオブジェクトを用いて動画を選択して表示する選択表示ステップと、
ブックマーク登録指示の入力を受け付けて、表示された動画の動画特定情報を含むファイル識別情報を有するファイル送信要求を送信するコンテンツ送信要求ステップと、
前記送信されたファイル送信要求を受け付けて、ファイル送信要求に含まれるファイル識別情報の動画コンテンツファイルを選択して返信するコンテンツ返信ステップと、
前記返信された動画コンテンツファイルを受信して表示するコンテンツ表示ステップと、
前記表示されたコンテンツをブックマーク登録するブックマーク登録ステップと、
を含んだ手順でなされることを特徴とする携帯端末コンテンツ提供方法。
【請求項７】
前記コンテンツ送信要求ステップは、動画特定情報を含むリダイレクトページＵＲＬを含んだ要求を送信するステップであって、
前記コンテンツ返信ステップは、動画特定情報を含むリダイレクトページＵＲＬを受け付けて、前記動画特定情報を含むファイル識別情報の動画コンテンツファイルのＵＲＬを設定したリダイレクトページを返信した後、携帯端末から前記リダイレクトページの動画コンテンツファイルＵＲＬを受信して、動画コンテンツファイルＵＲＬに含まれるファイル識別情報で特定される動画コンテンツファイルを選択して返信する、
ことを特徴とする請求項６に携帯端末コンテンツ提供方法。
【請求項８】
前記動画コンテンツファイルは、Flash Liteファイルである、
ことを特徴とする請求項６または請求項７に記載の携帯端末コンテンツ提供方法。
【請求項９】
コンピュータに組込むことによって、コンピュータを請求項３から請求項５のいずれか一項に記載のサーバ装置として動作させるコンピュータプログラム。
【手続補正２】
【補正対象書類名】明細書
【補正対象項目名】０００６
【補正方法】変更
【補正の内容】
【０００６】
本発明は、以下のような解決手段により、前記課題を解決する。すなわち、請求項１の発明は、サーバ装置から端末装置にネットワークを通して送信され、端末装置の再生手段により再生表示される動画コンテンツファイルであって、前記端末装置は動画コンテンツの閲覧者が選択や指示をするめに必要な対話的な入力を受け付ける入力手段を備え、前記再生手段は、前記入力手段を通じた入力を直後の再生動作を規定する入力イベントとして受け付ける機能を備えたものであって、この動画コンテンツファイルは、再生時に閲覧者が前記入力手段により選択指示する対象となる対話インターフェースオブジェクトを含むことができるものであって、さらに、１）最初と最初以外の区別がある複数の動画を含んで構成され、２）最初以外の各動画について、各動画が最初として区別して作成された他の動画コンテンツファイルを要求するメッセージを端末装置からネットワーク上に発信させる対話インターフェースオブジェクトを含んでいる、
ことを特徴とする動画コンテンツファイルである。
【手続補正３】
【補正対象書類名】明細書
【補正対象項目名】０００７
【補正方法】変更
【補正の内容】
【０００７】
請求項２の発明は、サーバ装置から端末装置にネットワークを通して送信され、端末装置の再生手段により再生表示される動画コンテンツファイルであって、
前記端末装置は動画コンテンツの閲覧者が選択や指示をするめに必要な対話的な入力を受け付ける入力手段を備え、前記再生手段は、前記入力手段を通じた入力を直後の再生動作を規定する入力イベントとして受け付ける機能を備えたものであって、この動画コンテンツファイルは、再生時に閲覧者が前記入力手段により選択指示する対象となる対話インターフェースオブジェクトを含むことができるものであって、さらに、１）最初と最初以外の区別がある複数の動画を含んで構成され、２）最初以外の各動画について、各動画が最初として区別して作成された他の動画コンテンツファイルへのハイパーリンクが埋め込まれたファイルを要求するメッセージを端末装置からネットワーク上に発信させる対話インターフェースオブジェクトを含んでいる、ことを特徴とする動画コンテンツファイルである。
【手続補正４】
【補正対象書類名】明細書
【補正対象項目名】００１４
【補正方法】変更
【補正の内容】
【００１４】
請求項７の発明は、前記コンテンツ送信要求ステップは、動画特定情報を含むリダイレクトページＵＲＬを含んだ要求を送信するステップであって、前記コンテンツ返信ステップは、動画特定情報を含むコンテンツ識別情報を有するリダイレクトページＵＲＬを受け付けて、前記動画特定情報を含むファイル識別情報の動画コンテンツファイルのＵＲＬを設定したリダイレクトページを返信した後、携帯端末から前記リダイレクトページの動画コンテンツファイルＵＲＬを受信して、動画コンテンツファイルＵＲＬに含まれるファイル識別情報で特定される動画コンテンツファイルを選択して返信する、ことを特徴とする請求項６に携帯端末コンテンツ提供方法である。
【手続補正５】
【補正対象書類名】明細書
【補正対象項目名】００１７
【補正方法】削除
【補正の内容】